(57)【特許請求の範囲】
【請求項１】
複数の発想支援装置の間で情報を送受信し、協調して行われる思考作業を支援する発想支援システムにおける、発想支援装置であって、
前記思考作業は、入力フェーズと加工フェーズのセットを、複数有し、
前記発想支援装置は、
フェーズを切替えるためのフェーズ遷移条件を記憶した条件記憶手段と、
入力フェーズにおいて、利用者が入力した情報および他の発想支援装置から受信した情報を受け付けて、表示部に表示するとともに、加工フェーズにおいて、利用者が入力した加工要求および他の発想支援装置から受信した加工要求を受け付けて、当該加工要求に従って前記入力フェーズで入力された情報を加工し、表示部に表示する作業手段と、
入力フェーズおよび加工フェーズの状態を監視し、前記条件記憶手段のフェーズ遷移条件を満たす場合、フェーズ変更通知を前記作業手段に送出する状態管理手段と、
利用者が入力した情報および加工要求を他の発想支援装置に送信するとともに、他の発想支援装置から他の利用者が入力した情報および加工要求を受信する通信手段と、を備え、
前記作業手段は、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を結果記憶手段に記憶すること
を特徴とする発想支援装置。
【請求項２】
思考作業を支援する発想支援装置であって、
前記思考作業は、入力フェーズと加工フェーズのセットを、複数有し、
前記発想支援装置は、
フェーズを切替えるためのフェーズ遷移条件を記憶した条件記憶手段と、
入力フェーズにおいて、利用者が入力した情報を受け付けて表示部に表示するとともに、加工フェーズにおいて、利用者が入力した加工要求を受け付けて、当該加工要求に従って前記入力フェーズで入力された情報を加工し、表示部に表示する作業手段と、
入力フェーズおよび加工フェーズの状態を監視し、前記条件記憶手段のフェーズの遷移条件を満たす場合、フェーズ変更通知を前記作業手段に送出する状態管理手段と、を備え、
前記作業手段は、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を結果記憶手段に記憶すること
を特徴とする発想支援装置。
【請求項３】
複数の発想支援装置の間で協調して行われる思考作業を支援する発想支援サーバであって、前記思考作業は、入力フェーズと加工フェーズのセットを、複数有し、
前記発想支援サーバは、
フェーズを切替えるためのフェーズ遷移条件を記憶した条件記憶手段と、
入力フェーズにおいて、各発想支援装置から送信された情報を受け付けて、当該情報を全ての発想支援装置の表示部に表示させるとともに、加工フェーズにおいて、各発想支援装置から送信された加工要求を受け付けて、当該加工要求に従って前記入力フェーズで入力された情報を加工し、全ての発想支援装置の表示部に表示させる作業手段と、
入力フェーズおよび加工フェーズの状態を監視し、前記条件記憶手段のフェーズ遷移条件を満たす場合、フェーズ変更通知を前記作業手段に送出する状態管理手段と、を有し、
前記作業手段は、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を全ての発想支援装置に送信すること
を特徴とする発想支援サーバ。
【請求項４】
請求項１または２に記載の発想支援装置であって、
前記条件記憶手段に記憶されるフェーズ遷移条件は、入力フェーズにおいて受け付けた情報の数が第１の所定数を超えた場合に加工フェーズに切替え、加工フェーズにおいて受け付けた加工要求の数が第２の所定数を超えた場合に入力フェーズに切替ること
を特徴とする発想支援装置。
【請求項５】
請求項１または請求項２に記載の発想支援装置であって、
前記条件記憶手段に記憶されるフェーズ遷移条件は、入力フェーズの作業時間が第１の所定時間を超えた場合に加工フェーズに切替え、加工フェーズの作業時間が第２の所定時間を超えた場合に入力フェーズに切替る、または、入力フェーズにおいて受け付けたフェーズ切替え要求の数が第１の所定切替数を超えた場合に加工フェーズに切替え、加工フェーズにおいて受け付けたフェーズ切替え要求の数が所定の第２の所定切替数を超えた場合に入力フェーズに切替ること
を特徴とする発想支援装置。
【請求項６】
複数の発想支援装置の間で情報を送受信し、協調して行われる思考作業を支援する発想支援方法であって、
前記思考作業は、入力フェーズと加工フェーズのセットを、複数有し、
前記発想支援装置は、
フェーズを切替えるためのフェーズ遷移条件を記憶した条件記憶部を有し、
入力フェーズにおいて、利用者が入力した情報および他の発想支援装置から受信した情報を受け付けて、表示部に表示するとともに、加工フェーズにおいて、利用者が入力した加工要求および他の発想支援装置から受信した加工要求を受け付けて、当該加工要求に従って前記入力フェーズで入力された情報を加工し、表示部に表示する作業ステップと、
入力フェーズおよび加工フェーズの状態を監視し、前記条件記憶部のフェーズ遷移条件を満たす場合、フェーズ変更を通知する状態管理ステップと、
利用者が入力した情報および加工要求を他の発想支援装置に送信するとともに、他の発想支援装置から他の利用者が入力した情報および加工要求を受信する通信ステップと、を行い、
前記作業ステップは、前記フェーズ変更が通知されると、入力フェーズから加工フェーズへ、または、加工フェーズから入力フェーズへフェーズを切替えるとともに、加工フェーズから入力フェーズへフェーズを切替える場合、加工フェーズの結果を結果記憶部に記憶すること
を特徴とする発想支援方法。
【請求項７】
発想支援装置が行う、思考作業を支援する発想支援方法であって、
前記思考作業は、入力フェーズと加工フェーズのセットを、複数有し、
前記発想支援装置は、
フェーズを切替えるためのフェーズ遷移条件を記憶した条件記憶部を有し、
入力フェーズにおいて、利用者が入力した情報を受け付けて表示部に表示するとともに、加工フェーズにおいて、利用者が入力した加工要求を受け付けて、当該加工要求に従って前記入力フェーズで入力された情報を加工し、表示部に表示する作業ステップと、
入力フェーズおよび加工フェーズの状態を監視し、前記条件記憶部のフェーズの遷移条件を満たす場合、フェーズ変更を通知する状態管理ステップと、を行い、
前記作業ステップは、前記フェーズ変更が通知されると、入力フェーズから加工フェーズへ、または、加工フェーズから入力フェーズへフェーズを切替えるとともに、加工フェーズから入力フェーズへフェーズを切替える場合、加工フェーズの結果を結果記憶部に記憶すること
を特徴とする発想支援方法。
【請求項８】
発想支援サーバが行う、複数の発想支援装置の間で協調して行われる思考作業を支援する発想支援方法であって、前記思考作業は、入力フェーズと加工フェーズのセットを、複数有し、
前記発想支援サーバは、
フェーズを切替えるためのフェーズ遷移条件を記憶した条件記憶部を有し、
入力フェーズにおいて、各発想支援装置から送信された情報を受け付けて、当該情報を全ての発想支援装置の表示部に表示させるとともに、加工フェーズにおいて、各発想支援装置から送信された加工要求を受け付けて、当該加工要求に従って前記入力フェーズで入力された情報を加工し、全ての発想支援装置の表示部に表示させる作業ステップと、
入力フェーズおよび加工フェーズの状態を監視し、前記条件記憶部のフェーズ遷移条件を満たす場合、フェーズ変更を通知する状態管理ステップと、を行い、
前記作業ステップは、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を全ての発想支援装置に送信すること
を特徴とする発想支援方法。
【発明の詳細な説明】
【技術分野】
【０００１】
本発明は、情報の収集および加工による思考作業を支援する発想支援技術に関する。
【背景技術】
【０００２】
従来、 KJ法（非特許文献１）、マインドマップ（非特許文献２）、キーワードを使った連想または類似法など、発想、意思決定、問題解決等の思考作業を実現したシステムやツールが普及しつつある（非特許文献３、４）。これらのシステムやツールの思考作業の流れは、最初に文献やフィールドワークでの情報収集や、自分の頭の中から情報を取り出し情報入力を実施する、という入力フェーズを備え、入力した情報の発散・収束・分析などを実施する加工フェーズを経て結果を得る。
【０００３】
例えば、KJ法では、ラベルづくりが情報の入力フェーズであり、グループ編成、表札づくり、A型図解化、B型叙述化が情報の加工フェーズに相当する。
【先行技術文献】
【非特許文献】
【０００４】
【非特許文献１】川喜田二郎、「KJ法‐渾沌をして語らしめる」、中央公論社
【非特許文献２】“マインドマップ公式サイト”、［online］、インターネット＜http://www.mindmap.or.jp/＞
【非特許文献３】“FreeMind”、［online］、インターネット＜http://sourceforge.jp/projects/freemind/wiki/FreeMind＞
【非特許文献４】“iMandalArt”、［online］、インターネット＜http://iphone.mandal-art.com/imandalart-j/＞
【発明の概要】
【発明が解決しようとする課題】
【０００５】
ところで、これらの思考作業の質を高めるためには、鮮度の高い良質な入力情報を得ることが重要である。良質な情報の一つが現場で収集した一次情報であり、これは本人が体験した情報である。例えば、記者が現場に行き取材をして新聞に書けば新聞が一次情報であり、その新聞記事を見て本に書けば二次情報であり、その本を見てブログに載せたら三次情報となり、現場から遠くなるに従って情報の質が低下していく。
【０００６】
しかしながら、入力フェーズで鮮度の高い良質な１次情報を収集しても、入力フェーズの期間が長ければ、せっかく集めた新鮮な情報もデータベース等に蓄積している間に鮮度が落ちてしまい、質が低下してしまう場合がある。同様に、加工フェーズの期間も長ければ得られる結果の質も低下する場合がある。 
本発明は、上記事情に鑑みてなされたものであり、本発明の目的は、情報の鮮度の低下を防止し、情報の加工結果をより早く提供することにある。
【課題を解決するための手段】
【０００７】
上記目的を達成するため、本発明は、複数の発想支援装置の間で情報を送受信し、協調して行われる思考作業を支援する発想支援システムにおける、発想支援装置であって、前記思考作業は、入力フェーズと加工フェーズのセットを、複数有し、前記発想支援装置は、フェーズを切替えるためのフェーズ遷移条件を記憶した条件記憶手段と、入力フェーズにおいて、利用者が入力した情報および他の発想支援装置から受信した情報を受け付けて、表示部に表示するとともに、加工フェーズにおいて、利用者が入力した加工要求および他の発想支援装置から受信した加工要求を受け付けて、当該加工要求に従って前記入力フェーズで入力された情報を加工し、表示部に表示する作業手段と、入力フェーズおよび加工フェーズの状態を監視し、前記条件記憶手段のフェーズ遷移条件を満たす場合、フェーズ変更通知を前記作業手段に送出する状態管理手段と、利用者が入力した情報および加工要求を他の発想支援装置に送信するとともに、他の発想支援装置から他の利用者が入力した情報および加工要求を受信する通信手段と、を備え、前記作業手段は、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を結果記憶手段に記憶する。
【０００８】
本発明は、思考作業を支援する発想支援装置であって、前記思考作業は、入力フェーズと加工フェーズのセットを、複数有し、前記発想支援装置は、フェーズを切替えるためのフェーズ遷移条件を記憶した条件記憶手段と、入力フェーズにおいて、利用者が入力した情報を受け付けて表示部に表示するとともに、加工フェーズにおいて、利用者が入力した加工要求を受け付けて、当該加工要求に従って前記入力フェーズで入力された情報を加工し、表示部に表示する作業手段と、入力フェーズおよび加工フェーズの状態を監視し、前記条件記憶手段のフェーズの遷移条件を満たす場合、フェーズ変更通知を前記作業手段に送出する状態管理手段と、を備え、前記作業手段は、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を結果記憶手段に記憶する。
【０００９】
本発明は、複数の発想支援装置の間で協調して行われる思考作業を支援する発想支援サーバであって、前記思考作業は、入力フェーズと加工フェーズのセットを、複数有し、前記発想支援サーバは、フェーズを切替えるためのフェーズ遷移条件を記憶した条件記憶手段と、入力フェーズにおいて、各発想支援装置から送信された情報を受け付けて、当該情報を全ての発想支援装置の表示部に表示させるとともに、加工フェーズにおいて、各発想支援装置から送信された加工要求を受け付けて、当該加工要求に従って前記入力フェーズで入力された情報を加工し、全ての発想支援装置の表示部に表示させる作業手段と、入力フェーズおよび加工フェーズの状態を監視し、前記条件記憶手段のフェーズ遷移条件を満たす場合、フェーズ変更通知を前記作業手段に送出する状態管理手段と、を有し、前記作業手段は、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を全ての発想支援装置に送信する。
【００１０】
本発明は、複数の発想支援装置の間で情報を送受信し、協調して行われる思考作業を支援する発想支援方法であって、前記思考作業は、入力フェーズと加工フェーズのセットを、複数有し、前記発想支援装置は、フェーズを切替えるためのフェーズ遷移条件を記憶した条件記憶部を有し、入力フェーズにおいて、利用者が入力した情報および他の発想支援装置から受信した情報を受け付けて、表示部に表示するとともに、加工フェーズにおいて、利用者が入力した加工要求および他の発想支援装置から受信した加工要求を受け付けて、当該加工要求に従って前記入力フェーズで入力された情報を加工し、表示部に表示する作業ステップと、入力フェーズおよび加工フェーズの状態を監視し、前記条件記憶部のフェーズ遷移条件を満たす場合、フェーズ変更を通知する状態管理ステップと、利用者が入力した情報および加工要求を他の発想支援装置に送信するとともに、他の発想支援装置から他の利用者が入力した情報および加工要求を受信する通信ステップと、を行い、前記作業ステップは、前記フェーズ変更が通知されると、入力フェーズから加工フェーズへ、または、加工フェーズから入力フェーズへフェーズを切替えるとともに、加工フェーズから入力フェーズへフェーズを切替える場合、加工フェーズの結果を結果記憶部に記憶する。
【００１１】
本発明は、発想支援装置が行う、思考作業を支援する発想支援方法であって、前記思考作業は、入力フェーズと加工フェーズのセットを、複数有し、前記発想支援装置は、フェーズを切替えるためのフェーズ遷移条件を記憶した条件記憶部を有し、入力フェーズにおいて、利用者が入力した情報を受け付けて表示部に表示するとともに、加工フェーズにおいて、利用者が入力した加工要求を受け付けて、当該加工要求に従って前記入力フェーズで入力された情報を加工し、表示部に表示する作業ステップと、入力フェーズおよび加工フェーズの状態を監視し、前記条件記憶部のフェーズの遷移条件を満たす場合、フェーズ変更を通知する状態管理ステップと、を行い、前記作業ステップは、前記フェーズ変更が通知されると、入力フェーズから加工フェーズへ、または、加工フェーズから入力フェーズへフェーズを切替えるとともに、加工フェーズから入力フェーズへフェーズを切替える場合、加工フェーズの結果を結果記憶部に記憶する。
【００１２】
本発明は、発想支援サーバが行う、複数の発想支援装置の間で協調して行われる思考作業を支援する発想支援方法であって、前記思考作業は、入力フェーズと加工フェーズのセットを、複数有し、前記発想支援サーバは、フェーズを切替えるためのフェーズ遷移条件を記憶した条件記憶部を有し、入力フェーズにおいて、各発想支援装置から送信された情報を受け付けて、当該情報を全ての発想支援装置の表示部に表示させるとともに、加工フェーズにおいて、各発想支援装置から送信された加工要求を受け付けて、当該加工要求に従って前記入力フェーズで入力された情報を加工し、全ての発想支援装置の表示部に表示させる作業ステップと、入力フェーズおよび加工フェーズの状態を監視し、前記条件記憶部のフェーズ遷移条件を満たす場合、フェーズ変更を通知する状態管理ステップと、を行い、前記作業ステップは、前記フェーズ変更通知を受け付けると、入力フェーズから加工フェーズへ、または、加工フェーズから入力フェーズへフェーズを切替えるとともに、加工フェーズから入力フェーズへフェーズを切替える場合、加工フェーズの結果を全ての発想支援装置に送信する。
【発明の効果】
【００１３】
本発明によれば、情報の鮮度の低下を防止し、情報の加工結果をより早く提供することができる。
【図面の簡単な説明】
【００１４】
【図１】本発明の第１の実施形態に係る発想支援システムの全体構成図である。
【図２】情報処理端末の記憶部の構成を示す構成図である。
【図３】第１の実施形態のフェーズ遷移図の一例を示す図である。
【図４】記憶部の条件ファイルの一例を示す図である。
【図５】入力フェーズの動作を示すシーケンスである。
【図６】状態管理部の動作を示すフローチャートである。
【図７】入力フェーズの画面例を示す図である。
【図８】記憶部の情報一覧の一例を示す図である。
【図９】入力フェーズから加工フェーズへの変更を示すシーケンスである。
【図１０】警告メッセージの一例を示す図である。
【図１１】加工フェーズの動作を示すシーケンスである。
【図１２】加工フェーズの画面例を示す図である。
【図１３】加工フェーズから入力フェーズへの変更を示すシーケンスである。
【図１４】本発明の第２の実施形態に係る情報処理端末の構成図である。
【図１５】第２の実施形態のフェーズ遷移図の一例を示す図である。
【図１６】入力フェーズの動作を示すシーケンスである。
【図１７】入力フェーズから加工フェーズへの変更を示すシーケンスである。
【図１８】加工フェーズの動作を示すシーケンスである。
【図１９】加工フェーズから入力フェーズへの変更を示すシーケンスである。
【図２０】本発明の第３の実施形態に係る情報処理端末の構成図である。
【図２１】第３の実施形態のフェーズ遷移図の一例を示す図である。
【発明を実施するための形態】
【００１５】
以下、本発明の実施の形態について、図面を参照して説明する。
【００１６】
本実施形態では、短い間隔の入力フェーズと加工フェーズと繰り返し、加工フェーズが終了するたびに、加工結果を利用者が活用できるようにする。      
＜第１の実施形態＞
図１は、本発明の第１の実施形態に係る発想支援システムの全体構成図である。本実施形態の発想支援システムは、ピアツーピア方式であって、ネットワーク９を介してそれぞれ接続された複数の情報処理端末１０（発想支援装置）を有する。なお、図示する例では、４つの情報処理端末１０を示しているが、これに限定されるものではない。
【００１７】
情報処理端末１０は、利用者が使用する端末であって、ネットワーク９を介して、他の利用者が使用する他の情報処理端末と情報を交換し、複数の利用者が協調して思考作業を行うのを支援するものである。情報処理端末１０は持ち運びが可能であり、各利用者は、任意の地点において情報処理端末１０をネットワークに接続し、他の様々な地点に存在する他の利用者の情報処理端末１０と協調して思考作業を行うことができる。
【００１８】
図示する情報処理端末Ａは、状態管理部１１と、表示部１２と、作業部１３と、記憶部１４と、入力部１５と、通信部１６とを備える。
【００１９】
状態管理部１１は、作業部１３の状態を監視し、記憶部１４に予め記憶された条件ファイルの条件を満たした場合、入力フェーズから加工フェーズへ、または、加工フェーズから入力フェーズへフェーズを切替えさせる。
【００２０】
表示部１２は、ディスプレイなどの出力装置であって、作業部１３の状態を表示する。
【００２１】
入力部１５は、例えば、キーボードやマウスなどの入力装置であって、利用者の指示・操作を受け付ける。利用者は、入力部１５を用いて、入力フェーズで情報を入力し、また、加工フェーズで情報の加工要求を入力する。なお、情報の加工要求は、例えば、情報の移動、削除、変更、保存などである。
【００２２】
作業部１３は、入力フェーズにおいて、利用者が入力した情報および他の情報処理端末から受信した情報を受け付けて、表示部１２に表示するとともに、記憶部１４に記憶する。また、作業部１３は、加工フェーズにおいて、利用者が入力した加工要求および他の情報処理端末から受信した加工要求を受け付けて、当該加工要求に従って前記入力フェーズで入力された情報を加工し、表示部に表示するとともに、加工要求を記憶部１４に記憶する。なお、情報の加工は、例えば、情報の整理、分類、要約化、統合化、文書作成、判断、検索などである。また、作業部１３は、他の複数の情報処理端末との情報共有を行う。
【００２３】
通信部１６は、利用者が入力した情報および加工要求を他の全ての情報処理端末に送信するとともに、他の情報処理端末から他の利用者が入力した情報および加工要求を受信する。
【００２４】
記憶部１４は、ＨＤＤやメモリなどの記憶装置であって、各種の情報が記憶される。
【００２５】
図２は、本実施形態の記憶部１４の一例を示すものである。図示する記憶部１４には、情報一覧１４１と、条件ファイル１４２と、結果ファイル１４３とが記憶される。情報一覧１４１には、入力フェーズ中および加工フェーズ中に入力または送信された情報および加工要求の一覧である。条件ファイル１４２は、予め設定された任意の条件（フェーズを切替えるためのフェーズ遷移条件）が設定されたファイルである。
【００２６】
結果ファイル１４３には、加工フェーズから入力フェーズへ変わる場合、または加工フェーズから思考作業を終了させる場合に、各加工フェーズの結果（画面のチャプチャ、または情報の内容・位置関係の座標）が記憶されるファイルである。すなわち、結果ファイル１４３には、思考作業を終了した際の最終的なアウトプットだけではなく、各加工フェーズの結果が記憶される。
【００２７】
なお、情報処理端末Ｂ、Ｃ、Ｄについても、情報処理端末Ａと同様の構成である。
【００２８】
図３は、本実施形態の思考作業の流れを示すフェーズ遷移図である。図示するフェーズ遷移では、入力フェーズと加工フェーズとを短い間隔で繰り返し、加工フェーズが終了するたびに、当該加工フェーズの結果を結果ファイル１４３として記憶部１４に記憶し、利用者が活用できるようにする。なお、各情報処理端末Ａ、Ｂ、Ｃ、Ｄは、同期して、入力フェーズから加工フェーズへ、また加工フェーズから入力フェーズへのフェーズ移行を行うものとする。
【００２９】
入力フェーズでは、入力部１５は、当該情報処理端末の自利用者が入力した情報を作業部１３に送出し、また、通信部１６はネットワーク９を介して受信した、他の情報処理端末の他利用者が入力した情報を作業部１３に送出する。作業部１３は、受け付けた情報を任意の形態で記憶部１４の情報一覧１４１に記憶する。状態管理部１１は、作業部１３の状態が条件ファイル１４２に設定された条件を満たした場合に、入力フェーズから加工フェーズへの移行させるフェーズ変更通知を作業部１３に送出する。これにより、作業部１３はフェーズを切替えるとともに、利用者にフェーズの変更を促し、通知するための警告メッセージを出力する。
【００３０】
加工フェーズでは、入力部１５は、当該情報処理端末の自利用者が入力した加工要求を作業部１３に送出し、また、通信部１６はネットワーク９を介して受信した、他の情報処理端末の他利用者が入力した加工要求を作業部１３に送出する。作業部１３は、入力部１５または通信部１６から受け付けた加工要求を実施し、記憶部１４に記憶している情報を加工する。また、作業部１３は、加工要求を任意の形態で記憶部１４の情報一覧１４１に記憶する。状態管理部１１は、作業部１３の状態が条件ファイル１４２に設定された条件を満たした場合に、加工フェーズから入力フェーズへの移行、または、思考作業の終了を促すフェーズ変更通知を作業部１３に送出する。これにより、作業部１３はフェーズを切替える、または思考作業を終了させるとともに、利用者にフェーズの変更または思考作業終了を促し、通知するための警告メッセージを出力する。
【００３１】
なお、フェーズの移行時または思考作業の終了時に出力される警告メッセージは、利用者に注意を喚起させるよう、例えば、所定のメッセージが記載されたダイアログボックスを表示部１２に出力する、光を表示部１２に出力する、図示しないスピーカーから所定の音または所定のメッセージの音声を出力すること、などが考えられる。
【００３２】
情報処理端末１０は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた情報処理端末１０用のプログラムを実行することにより、情報処理端末１０の各機能が実現される。また、情報処理端末１０用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００３３】
次に、記憶部１４に予め記憶された条件ファイル１４２について説明する。
【００３４】
図４は、条件ファイルの一例を示すものである。図示する条件ファイルは、入力フェーズから加工フェーズへの切替えの条件として、入力フェーズが開始されてから入力された情報が所定のしきい値（図示する例では、３０）を超えた場合、加工フェーズへ遷移する。また、加工フェーズから入力フェーズへの切替えの条件として、加工フェーズが開始されてから入力された加工要求が所定のしきい値（図示する例では、１０）を超えた場合、入力フェーズへ遷移（または、思考作業を終了）する。
【００３５】
すなわち、入力フェーズにおいて記憶部１４の情報一覧１４１に記憶された情報の数が所定の数を超えた場合、加工フェーズに遷移し、また、加工フェーズにおいて記憶部１４の情報一覧１４１に記憶された加工要求の数が所定の数を超えた場合、入力フェーズに遷移する。なお、入力フェーズの所定の数と、加工フェーズの所定の数とは、同じ値であっても、異なる値であってもよい。
【００３６】
また、フェーズ切替え条件として、時間を用い、入力フェーズの作業時間が所定の時間を超えた場合、また、加工フェーズの作業時間が所定の時間を超えた場合に、フェーズを切替えることとしてもよい。なお、入力フェーズの所定の時間と、加工フェーズの所定の時間とは、同じ時間であっても、異なる時間であってもよい。また、各フェーズの作業時間ではなく、ある時点の時刻から所定の時間を超えた場合、フェーズを切替えることとしてもよい。
【００３７】
また、フェーズ切替え条件として、入力フェーズにおいて、任意の情報が入力された時刻から時間を計測し、その計測時間が予め設定された所定の時間を超えた場合、また、加工フェーズにおいて、任意の加工要求が入力された時刻から時間を計測し、その計測時間が所定の時間を超えた場合、フェーズを切替えることとしてもよい。
【００３８】
また、フェーズ切替え条件として、入力フェーズにおいて、任意の情報が入力された時刻から時間を計測し、その計測時間が予め設定された任意の時間を超え、かつその間に入力された他の情報が予め設定された所定の数を下回った場合、また、加工フェーズにおいて、任意の加工要求が入力された時刻から時間を計測し、その計測時間が予め設定された所定の時間を超え、かつその間に入力された他の加工要求が予め設定された所定の数を下回った場合、フェーズを切替えることとしてもよい。あるいは、ある時点の時刻から予め設定された所定の時間内において、入力された情報の数または加工要求の数が、予め設定された所定の数を下回った場合、フェーズを切替えることとしてもよい。これにより、思考作業が収束しつつある時点で、フェーズを切替えることができる。
【００３９】
また、フェーズ切替え条件として、利用者の指示により入力された切替え要求を用いることとしてもよい。例えば、任意の情報処理端末の入力部１５が、利用者の指示により切替え要求を受け付けた場合、フェーズを切替えることとしてもよい。この切替え要求は、他の全ての情報処理端末に送信され、他の全ての情報処理端末でも同期してフェーズが切替えられる。
【００４０】
また、フェーズ切替え条件として、所定の数を超える切替え要求が、各情報処理端末の入力部１５に入力された場合、フェーズを切替えることとしてもよい。具体的には、入力フェーズにおいて受け付けたフェーズ切替え要求の数が所定の切替数を超えた場合に加工フェーズに切替え、加工フェーズにおいて受け付けたフェーズ切替え要求の数が所定の切替数を超えた場合に入力フェーズに切替ることとしてもよい。なお、入力フェーズの所定の切替数と、加工フェーズの所定の切替数とは、同じ数であっても、異なる数であってもよい。各情報処理端末で入力される切替え要求は、他の全ての情報処理端末に送信されるため、全ての情報処理端末で同期してフェーズが切替えられる。
【００４１】
また、フェーズ切替え条件として、全ての情報処理端末１０の入力部１５に切替え要求が入力された場合、フェーズを切替えることとしてもよい。各情報処理端末で入力される切替え要求は、他の全ての情報処理端末に送信されるため、全ての情報処理端末で同期してフェーズが切替えられる。
【００４２】
次に、本実施形態の動作について説明する。
【００４３】
図５は、入力フェーズのシーケンス例を示すものである。なお、図示するシーケンス図では、情報処理端末Ａで情報が入力され、当該情報が情報処理端末Ｂに同期して送信される動作を示しているが、他の情報処理端末にも当該情報が同期して送信される。
【００４４】
初期処理として、情報処理端末Ａおよび情報処理端末Ｂの状態管理部１１は、起動時に記憶部１４に予め記憶された条件ファイル１４２を読み込み、状態管理部１１のメモリに設定する（T1）。なお、情報処理端末Ａおよび情報処理端末Ｂの記憶部１４には、同じ条件ファイル１４２が記憶されている。ここでは、図４に示す条件ファイル１４２が読み込まれたものとして、以下に説明する。
【００４５】
入力部１５は、利用者が入力した情報を受け付けると、当該情報を作業部１３へ送出する（T2）。作業部１３は、情報を受け取ると、当該情報を表示部１２に表示し、記憶部１４の情報一覧１４１に登録するとともに（T3）、状態管理部１１へ変更結果（情報の数が１つ増えたこと）を送出する(T4)。
【００４６】
状態管理部１１は、変更結果を受信すると、条件ファイルの条件と比較し、比較の結果がフェーズ変更を行う条件に達していない場合（条件を満たしていない場合）、フェーズ変更を行わない(T5)。
【００４７】
また、作業部１３は、（T2）で受け取った情報を、通信部１６に送出する(T6)。通信部１６は、受け取った情報を、ネットワークを介して他の全ての情報処理端末に送信する(T7)。
【００４８】
情報処理端末Ｂの通信部１６は、受信した情報を作業部１３に送出する(T8)。作業部１３は、情報を受け取ると、当該情報を表示部１２に表示し、記憶部１４の情報一覧１４１に登録するとともに、状態管理部１１へ変更結果（情報の数が１つ増えたこと）を送出する（T9）。状態管理部１１は、変更結果を受信すると、条件ファイルの条件と比較し、比較の結果がフェーズ変更を行う条件に達していない場合（条件を満たしていない場合）、フェーズ変更を行わない(T10)。
【００４９】
そして、次の情報が入力されると、（T2）から（T10）の処理を繰り返し行う。
【００５０】
図５では、（T2）で情報処理端末Ａに入力された情報が、（T7）で情報処理端末Ｂを含む他の全ての情報処理端末に送信されるため、全ての情報処理端末では、同じ情報を共有することができる。
【００５１】
図６は、（T5）および（T10）の状態管理部１１の処理を示すフローチャートである。
【００５２】
まず、状態管理部１１は、(T1)の初期処理として、記憶部１４の条件ファイル１４２を読み込む（S11）。そして、状態管理部１１は、変更結果を受信すると（S12：YES）、条件ファイルに設定された条件と変更結果とを比較し（S13）、条件を満たしていない場合は（S14：NO）、S12に戻る。一方、条件を満たしている場合は（S14：YES）、フェーズ変更要求を作業部１３に送出する（S15）。なお、図５では、条件を満たしていないため（S14：NO）、フェーズ変更要求を送出することなくS12に戻る。
【００５３】
図７は、入力フェーズにおける、各情報処理端末の表示部１２に表示される画面の一例を示すものである。図示する例では、入力フェーズで入力された３つの情報が表示されている。
【００５４】
図８は、図７の画面が表示されている場合の、記憶部１４に記憶される情報一覧１４１の一例を示すものである。図示する情報一覧には、３つの情報のそれぞれの内容および画面上の位置を示す位置情報（座標など）が含まれる。
【００５５】
図９は、入力フェーズから加工フェーズへ遷移するシーケンス例を示すものである。
【００５６】
（T2）〜（T4）および（T6）〜（T9）は、図５の（T2）〜（T4）および（T6）〜（T9）と同様であるため、ここでは説明を省略する。
【００５７】
（T5）において、情報処理端末Ａの状態管理部１１は、図６で説明したように、変更結果を受信すると、条件ファイルの条件と比較する。ここでは、比較の結果がフェーズ変更を行う条件に達している（条件を満たしている）ものとする。この場合、状態管理部１１は、フェーズ変更要求を生成し、作業部１３に送出する（T11）。作業部１３は、フェーズ変更要求を受け付けると、入力フェーズから加工フェーズへ移行し、フェーズ移行をユーザに促す警告メッセージを出力する（T12）。
【００５８】
（T10）においても、（T5）と同様に、情報処理端末Ｂの状態管理部１１は、フェーズ変更要求を生成し、作業部１３に送出し（T13）、作業部１３は、フェーズ変更要求を受け付けると、入力フェーズから加工フェーズへ移行し、フェーズ移行をユーザに促す警告メッセージを出力する（T14）。
【００５９】
このように、（T2）で情報処理端末Ａに入力された情報が、（T7）で情報処理端末Ｂを含む他の全ての情報処理端末１０に送信されるため、全ての情報処理端末では、同じ情報を共有し、また、同じタイミングでフェーズを遷移することができる。
【００６０】
図１０は、警告メッセージの一例である。図示する例では、ダイアログボックスが表示部１２に表示される。
【００６１】
図１１は、加工フェーズのシーケンス例を示すものである。なお、図示するシーケンス図では、情報処理端末Ａで加工要求が入力され、当該加工要求が情報処理端末Ｂに同期して送信される動作を示しているが、他の情報処理端末にも当該加工要求が同期して送信される。
【００６２】
入力部１５は、利用者が入力した加工要求を受け付けると、当該情報を作業部１３へ送出する（T21）。加工要求は、入力フェーズで入力した情報を加工するための操作情報であって、例えば、情報の移動、削除、変更、保存などである。作業部１３は、加工要求を受け付けると、当該加工要求に従って情報を加工し、加工結果を表示部１２に表示し、加工要求を記憶部１４の情報一覧１４１に記憶するとともに（T22）、状態管理部１１へ変更結果（加工要求の数が１つ増えたこと）を送出する(T23)。情報の加工は、例えば、情報の整理、分類、要約化、統合化、文書作成、判断、検索などが考えられる。
【００６３】
状態管理部１１は、変更結果を受信すると、条件ファイルの条件と比較し、比較の結果がフェーズ変更を行う条件に達していない場合（条件を満たしていない場合）、フェーズ変更を行わない(T24)。
【００６４】
また、作業部１３は、（T21）で受け取った加工要求を、通信部１６に送出する(T25)。通信部１６は、受け取った情報を、ネットワークを介して他の全ての情報処理端末に送信する(T26)。
【００６５】
情報処理端末Ｂの通信部１６は、受信した加工要求を作業部１３に送出する(T27)。作業部１３は、加工要求を受け取ると、当該加工要求に従って情報を加工し、加工結果を表示部１２に表示し、加工要求を記憶部１４の情報一覧１４１に記憶するとともに、状態管理部１１へ変更結果（加工要求の数が１つ増えたこと）を送出する(T28)。状態管理部１１は、変更結果を受信すると、条件ファイルの条件と比較し、比較の結果がフェーズ変更を行う条件に達していない場合（条件を満たしていない場合）、フェーズ変更を行わない (T29)。
【００６６】
そして、情報処理端末Ａに次の加工要求が入力されると、（T21）から（T29）の処理を繰り返し行う。
【００６７】
図１１では、（T21）で情報処理端末Ａに入力された加工要求が、（T26）で情報処理端末Ｂを含む他の全ての情報処理端末に送信されるため、全ての情報処理端末では、同じ加工状態の情報を共有することができる。
【００６８】
図１２は、加工フェーズにおける、各情報処理端末の表示部１２に表示される画面の一例を示すものである。図示する例では、図７に示す入力フェーズで入力された情報が、二つのグループ１２１、１２２にグルーピング（加工）されている。
【００６９】
図１３は、加工フェーズから入力フェーズへ遷移するシーケンス例を示すものである。
【００７０】
（T21）〜（T23）および（T25）〜（T28）は、図１１の（T21）〜（T23）および（T25）〜（T28）と同様であるため、ここでは説明を省略する。
【００７１】
（T24）において、情報処理端末Ａの状態管理部１１は、図６で説明したように、変更結果を受信すると、条件ファイルの条件と比較する。ここでは、比較の結果がフェーズ変更を行う条件に達している（条件を満たしている）ものとする。この場合、状態管理部１１は、フェーズ変更要求を生成し、作業部１３に送出する（T30）。作業部１３は、フェーズ変更要求を受け付けると、加工フェーズから入力フェーズへ移行し、フェーズ移行をユーザに促す警告メッセージを出力する（T31）。また、作業部１３は、加工フェーズの結果を、記憶部１４の結果ファイル１４３に保存する。
【００７２】
（T29）においても、（T24）と同様に、情報処理端末Ｂの状態管理部１１は、フェーズ変更要求を生成し、作業部１３に送出し（T32）、作業部１３は、フェーズ変更要求を受け付けると、加工フェーズから入力フェーズへ移行し、フェーズ移行をユーザに促す警告メッセージを出力する（T33）。また、作業部１３は、加工フェーズの結果を、記憶部１４の結果ファイル１４３に保存する。
【００７３】
このように、（T21）で情報処理端末Ａに入力された情報が、（T26）で情報処理端末Ｂを含む他の全ての情報処理端末１０に送信されるため、全ての情報処理端末では、同じ情報を共有し、また、同じタイミングでフェーズを遷移することができる。また、加工フェーズの結果として、同じ状態のものが結果ファイル１４３に記憶される。
【００７４】
＜第２の実施形態＞
図１４は、本発明の第２の実施形態に係る情報処理端末１０Ａ（発想支援装置）の構成図である。
【００７５】
本実施形態の情報処理端末１０Ａは、スタンドアロン方式であって、持ち運びが可能であり、利用者が単独で行う思考作業を支援するものである。図示する情報処理端末１０Ａは、状態管理部１１と、表示部１２と、作業部１３と、記憶部１４と、入力部１５とを備える。本実施形態の情報処理端末１０Ａは、第１の実施形態の情報処理端末１０と（図１参照）、通信部を有しない点において異なる。状態管理部１１と、表示部１２と、作業部１３と、記憶部１４と、入力部１５については、第１の実施形態と同様であるためここでは説明を省略する。
【００７６】
図１５は、本実施形態の作業の流れを示すフェーズ遷移図である。本実施形態においても、図示するように、入力フェーズと加工フェーズとを短い間隔で繰り返し、加工フェーズが終了するたびに、当該加工フェーズの結果を結果ファイル１４３として記憶部１４に記憶し、利用者が活用できるようにする。
【００７７】
次に、本実施形態の情報処理端末１０Ａの動作について説明する。
【００７８】
図１６は、入力フェーズのシーケンス例を示すものである。初期処理として、状態管理部１１は、起動時に記憶部１４に予め記憶された条件ファイル１４２を読み込み、状態管理部１１のメモリに設定する（T1）。ここでは、図４に示す条件ファイル１４２が読み込まれたものとして、以下に説明する。
【００７９】
入力部１５は、利用者が入力した情報を受け付けると、当該情報を作業部１３へ送出する（T2）。作業部１３は、情報を受け取ると、当該情報を表示部１２に表示し、記憶部１４の情報一覧１４１に登録するとともに（T3）、状態管理部１１へ変更結果（情報の数が１つ増えたこと）を送出する(T4)。
【００８０】
状態管理部１１は、変更結果を受信すると、条件ファイルの条件と比較し、比較の結果がフェーズ変更を行う条件に達していない場合（条件を満たしていない場合）、フェーズ変更を行わない(T5)。そして、次の情報が入力されると、（T2）から（T5）の処理を繰り返し行う。
【００８１】
図１７は、入力フェーズから加工フェーズへ遷移するシーケンス例を示すものである。（T2）〜（T4）は、図１６の（T2）〜（T4）と同様であるため、ここでは説明を省略する。（T5）において、状態管理部１１は、図６で説明したように、変更結果を受信すると、条件ファイルの条件と比較する。ここでは、比較の結果がフェーズ変更を行う条件に達している（条件を満たしている）ものとする。この場合、状態管理部１１は、フェーズ変更要求を生成し、作業部１３に送出する（T6）。作業部１３は、フェーズ変更要求を受け付けると、入力フェーズから加工フェーズへ移行し、フェーズ移行をユーザに促す警告メッセージを出力する（T7）。
【００８２】
図１８は、加工フェーズのシーケンス例を示すものである。入力部１５は、利用者が入力した加工要求を受け付けると、当該情報を作業部１３へ送出する（T21）。加工要求は、入力フェーズで入力した情報を加工するための操作情報であって、例えば、情報の移動、削除、変更、保存などである。作業部１３は、加工要求を受け付けると、当該加工要求に従って情報を加工し、加工結果を表示部１２に表示し、加工要求を記憶部１４の情報一覧１４１に記憶するとともに（T22）、状態管理部１１へ変更結果（加工要求の数が１つ増えたこと）を送出する(T23)。情報の加工は、例えば、情報の整理、分類、要約化、統合化、文書作成、判断、検索などが考えられる。
【００８３】
状態管理部１１は、変更結果を受信すると、条件ファイルの条件と比較し、比較の結果がフェーズ変更を行う条件に達していない場合（条件を満たしていない場合）、フェーズ変更を行わない(T24)。そして、次の加工要求が入力されると、（T21）から（T24）の処理を繰り返し行う。
【００８４】
図１９は、加工フェーズから入力フェーズへ遷移するシーケンス例を示すものである。
【００８５】
（T21）〜（T23）は、図１８の（T21）〜（T23）と同様であるため、ここでは説明を省略する。（T24）において、状態管理部１１は、図６で説明したように、変更結果を受信すると、条件ファイルの条件と比較する。ここでは、比較の結果がフェーズ変更を行う条件に達している（条件を満たしている）ものとする。この場合、状態管理部１１は、フェーズ変更要求を生成し、作業部１３に送出する（T25）。作業部１３は、フェーズ変更要求を受け付けると、加工フェーズから入力フェーズへ移行し、フェーズ移行をユーザに促す警告メッセージを出力する（T26）。また、作業部１３は、加工フェーズの結果を、記憶部１４の結果ファイル１４３に保存する。
【００８６】
＜第３の実施形態＞
図２０は、本発明の第３の実施形態に係る発想支援システムの全体構成図である。本実施形態の発想支援システムは、サーバ・クライアント方式であって、情報処理センタのサーバ（発想支援サーバ）２０と、当該サーバ２０とネットワーク９を介して接続された複数の情報処理端末１０Ｂ（発想支援装置）とを有する。
【００８７】
本実施形態では、第１の実施形態の情報処理端末１０の状態管理部１１、作業部１３、記憶部１４の機能をサーバ２０側に持たせて機能分担し、情報処理端末１０Ｂの処理を軽減したものである。
【００８８】
図示するサーバ２０は、状態管理部２１と、作業部２２と、記憶部２３と、通信部２４とを有する。状態管理部２１は、第１の実施形態の状態管理部１１と同様に、作業部２２の状態（入力フェーズの状態、加工フェーズの状態）を監視し、記憶部２３に予め記憶された条件ファイルの条件を満たした場合、入力フェーズから加工フェーズへ、または、加工フェーズから入力フェーズへフェーズを切替えさせる。
【００８９】
作業部２２は、第１の実施形態の作業部１３と同様に、入力フェーズにおいて、各情報処理端末１０Ｂが送信した情報を受け付けて、受け付けた情報を全ての情報処理端末１０Ｂの表示部１２に表示させるとともに、受け付けた情報を記憶部２３の情報一覧に記憶する。また、作業部２２は、加工フェーズにおいて、各情報処理端末１０Ｂが送信した加工要求を受け付けて、当該加工要求に従って入力フェーズで入力された情報を加工し、加工した結果を全ての情報処理端末１０Ｂの表示部１２に表示させるとともに、加工要求を記憶部２３の情報一覧に記憶する。
【００９０】
記憶部２３は、第１の実施形態の記憶部１４（図２参照）と同様であって、情報一覧と、条件ファイルと、結果ファイルとが記憶される。
【００９１】
通信部２４は、各情報処理端末１０Ｂから送信される情報および加工要求を受信するとともに、受信した情報および加工要求に基づいて作業部２２が加工した結果を全ての情報処理端末１０Ｂに送信する。
【００９２】
本実施形態の情報処理端末１０Ｂは、利用者が使用する端末であって、利用者が入力した情報および加工要求をサーバ２０に送信するとともに、サーバ２０から受信した情報および加工結果を表示する。情報処理端末１０Ｂは、持ち運びが可能であり、各利用者は、任意の地点において情報処理端末１０Ｂをネットワークを介してサーバ２０に接続し、他の様々な地点に存在する他の利用者の情報処理端末１０Ｂと協調して思考作業を行うことができる。
【００９３】
図示する情報処理端末１０Ｂは、サーバ２０の作業部２２による入力フェーズおよび加工フェーズの状態を表示する表示部１２と、記憶部１４と、利用者の指示・操作を受け付ける入力部１５と、サーバ２０と通信する通信部１６とを備える。利用者は、入力部１５を用いて、入力フェーズで情報を入力し、また、加工フェーズで情報の加工要求を入力する。通信部１６は、利用者が入力した情報および加工要求をサーバ２０に送信する。
【００９４】
図２１は、本実施形態の作業の流れを示すフェーズ遷移図である。本実施形態においても、図示するように、入力フェーズと加工フェーズとを短い間隔で繰り返し、加工フェーズが終了するたびに、当該加工フェーズの結果を結果ファイルとしてサーバ２０の記憶部２４に記憶するとともに、結果ファイルを全ての情報処理端末１０Ｂに送信して、各利用者に提供し、各利用者が活用できるようにする。情報処理端末１０Ｂは、受信した結果ファイルを記憶部１４に記憶する。
【００９５】
入力フェーズでは、各情報処理端末１０Ｂの入力部１５は、利用者が入力した情報を、通信部１６を介してサーバ２０に送信する。サーバ２０の作業部２２は、各情報処理端末１０Ｂから受信した情報を任意の形態で記憶部２３の情報一覧に記憶する。状態管理部２１は、作業部２２の状態が条件ファイルに設定された条件を満たした場合に、入力フェーズから加工フェーズへの移行させるフェーズ変更通知を作業部２２に送出する。これにより、作業部２２はフェーズを切替えるとともに、利用者にフェーズの変更を促し、通知するための警告メッセージを全ての情報処理端末１０Ｂに送信する。
【００９６】
加工フェーズでは、各情報処理端末１０Ｂの入力部１５は、利用者が入力した加工要求を通信部１６を介してサーバ２０に送信する。サーバ２０の作業部２２は、各情報処理端末１０Ｂから受信した加工要求を実施し、記憶部２３に記憶している情報を加工し、加工結果を全ての情報処理端末１０Ｂに送信する。また、作業部２２は、加工要求を任意の形態で記憶部２３の情報一覧に記憶する。状態管理部２１は、作業部２２の状態が条件ファイルに設定された条件を満たした場合に、加工フェーズから入力フェーズへの移行、または、思考作業の終了を促すフェーズ変更通知を作業部２２に送出する。これにより、作業部２２はフェーズを切替える、または思考作業を終了させるとともに、利用者にフェーズの変更を促し、通知するための警告メッセージを全ての情報処理端末１０Ｂに送信する。
【００９７】
以上説明した第１から第３の実施形態では、思考作業を、短い間隔の入力フェーズと加工フェーズを繰り返し、各加工フェーズの結果を記憶部に記憶する、これにより、本実施形態では、加工フェーズが終了する度に、加工フェーズの結果を利用者に提供し、利用者が活用することができる。
【００９８】
すなわち、入力フェーズで意見を出し尽くしてから加工フェーズに移り、加工フェーズにおいても全員が納得するまで終了しない従来の思考作業では、情報の鮮度が低下するという問題が発生するが、本実施形態では、思考作業のフェーズを短く区切り、入力フェーズと加工フェーズとを繰り返すことで、情報の鮮度が落ちる前に各加工フェーズの結果を利用者に提供することができる。すなわち、情報の取得から加工結果の提供までの期間を短縮することで、情報の鮮度の低下を防止し、加工結果をより早く活用させることができる。
【００９９】
なお、本発明は上記実施形態に限定されるものではなく、その要旨の範囲内で数々の変形が可能である。
【符号の説明】
【０１００】
１０、１０Ａ、１０Ｂ：情報処理端末（発想支援装置）
１１：状態管理部 
１２：表示部
１３：作業部
１４：記憶部
１５：入力部
１６：通信部
２０：情報処理センタ（発想支援サーバ）
２１：状態管理部
２２：作業部
２３：記憶部
２４：通信部 
【図１】
0005645026.tif 000002
【図２】
0005645026.tif 000003
【図３】
0005645026.tif 000004
【図４】
0005645026.tif 000005
【図５】
0005645026.tif 000006
【図６】
0005645026.tif 000007
【図７】
0005645026.tif 000008
【図８】
0005645026.tif 000009
【図９】
0005645026.tif 000010
【図１０】
0005645026.tif 000011
【図１１】
0005645026.tif 000012
【図１２】
0005645026.tif 000013
【図１３】
0005645026.tif 000014
【図１４】
0005645026.tif 000015
【図１５】
0005645026.tif 000016
【図１６】
0005645026.tif 000017
【図１７】
0005645026.tif 000018
【図１８】
0005645026.tif 000019
【図１９】
0005645026.tif 000020
【図２０】
0005645026.tif 000021
【図２１】
0005645026.tif 000022